(57)【特許請求の範囲】
【請求項１】
コンベヤベルトの評価サンプルが架け回される一対のプーリと、前記評価サンプルのテンションを調整するテンション調整部と、前記評価サンプルの走行速度を調整する速度調整部と、前記評価サンプルが収容される恒温ケースと、前記評価サンプルの搬送面に外力付与体を繰り返し接触させる外力付与手段と、前記恒温ケースの内部温度および前記外力付与体の温度を調整する温度コントローラとを備えて、
前記外力付与手段が、任意の質量に調整できる錘を有して、先端形状が可変である外力付与体と、この外力付与体を繰り返し自由落下させる落下機構と、復元機構とからなり、この外力付与体を先端から前記評価サンプルの搬送面に繰り返し落下させる構成にして、前記評価サンプルに落下させた前記外力付与体を前記評価サンプルとともに走行方向に所定長さ移動させた後に上方移動させて、前記復元機構により前記走行方向と反対方向に前記所定長さ移動させて前記外力付与体を落下前の位置に戻して前記外力付与体の繰り返し自由落下を行って前記評価サンプルの耐外傷性および耐温度性を評価することを特徴とするコンベヤベルトの評価装置。
【請求項２】
コンベヤベルトの評価サンプルが架け回される一対のプーリと、前記評価サンプルのテンションを調整するテンション調整部と、前記評価サンプルの走行速度を調整する速度調整部と、前記評価サンプルが収容される恒温ケースと、前記評価サンプルの搬送面に外力付与体を繰り返し接触させる外力付与手段と、前記恒温ケースの内部温度および前記外力付与体の温度を調整する温度コントローラとを備えて、
前記外力付与手段が、外周面形状が可変である転動ローラからなる外力付与体と、この外力付与体を独立して回転駆動させる回転部とからなり、この外力付与体の外周面を前記評価サンプルの搬送面に接触させつつ、転動させる構成にして、前記評価サンプルの搬送面に接触する際の前記外力付与体の外周面の回転移動方向が前記搬送面の走行方向と反対方向になるようにして前記評価サンプルの耐外傷性および耐温度性を評価することを特徴とするコンベヤベルトの評価装置。
【請求項３】
コンベヤベルトの評価サンプルが架け回される一対のプーリと、前記評価サンプルのテンションを調整するテンション調整部と、前記評価サンプルの走行速度を調整する速度調整部と、前記評価サンプルが収容される恒温ケースと、前記評価サンプルの搬送面に外力付与体を繰り返し接触させる外力付与手段と、前記恒温ケースの内部温度および前記外力付与体の温度を調整する温度コントローラとを備えて、
前記外力付与手段が、外周面形状が可変である回転自在に軸支された転動ローラからなる外力付与体と、この外力付与体の回転にブレーキをかける回転部とからなり、この外力付与体の外周面を前記評価サンプルの搬送面に接触させて前記回転部によりブレーキをかけつつ、この外力付与体を転動させる構成にして前記評価サンプルの耐外傷性および耐温度性を評価することを特徴とするコンベヤベルトの評価装置。
【請求項４】
コンベヤベルトの評価サンプルを恒温ケース内で一対のプーリに架け回し、この評価サンプルを予め設定された所定のテンションで張設するとともに、予め設定された所定の速度で走行させた状態にして、この状態の評価サンプルの搬送面に外力付与体を繰り返し接触させ、かつ、前記恒温ケースの内部温度および外力付与体の温度を温度コントローラにより予め設定された温度に調整し、前記外力付与体は、任意の質量に調整できる錘を有して先端形状が可変であり、この外力付与体を先端から前記評価サンプルの搬送面に繰り返し自由落下させ、前記評価サンプルに落下させた前記外力付与体を前記評価サンプルとともに走行方向に所定長さ移動させた後に上方移動させて、復元機構により前記走行方向と反対方向に前記所定長さ移動させて前記外力付与体を落下前の位置に戻して前記外力付与体の繰り返し自由落下を行って前記評価サンプルの耐外傷性および耐温度性を評価することを特徴とするコンベヤベルトの評価方法。
【請求項５】
コンベヤベルトの評価サンプルを恒温ケース内で一対のプーリに架け回し、この評価サンプルを予め設定された所定のテンションで張設するとともに、予め設定された所定の速度で走行させた状態にして、この状態の評価サンプルの搬送面に外力付与体を繰り返し接触させ、かつ、前記恒温ケースの内部温度および外力付与体の温度を温度コントローラにより予め設定された温度に調整し、前記外力付与体は、外周面形状が可変である転動ローラであり、この外力付与体を独立して回転駆動させて、その外周面を前記評価サンプルの搬送面に接触させつつ転動させて、前記評価サンプルの搬送面に接触する際の前記外力付与体の外周面の回転移動方向が前記搬送面の走行方向と反対方向になるようにして前記評価サンプルの耐外傷性および耐温度性を評価することを特徴とするコンベヤベルトの評価方法。
【請求項６】
コンベヤベルトの評価サンプルを恒温ケース内で一対のプーリに架け回し、この評価サンプルを予め設定された所定のテンションで張設するとともに、予め設定された所定の速度で走行させた状態にして、この状態の評価サンプルの搬送面に外力付与体を繰り返し接触させ、かつ、前記恒温ケースの内部温度および外力付与体の温度を温度コントローラにより予め設定された温度に調整し、前記外力付与体は、外周面形状が可変である回転自在に軸支された転動ローラであり、その外周面を前記評価サンプルの搬送面に接触させて前記外力付与体の回転にブレーキをかけつつ転動させて前記評価サンプルの耐外傷性および耐温度性を評価することを特徴とするコンベヤベルトの評価方法。
【請求項７】
前記評価サンプルの搬送面に複数の凹部を設け、これら凹部に異なる仕様の評価ゴムを嵌め込むことにより、複数の異なる仕様の評価ゴムの耐外傷性および耐温度性を同時に評価する請求項４〜６のいずれかに記載のコンベヤベルトの評価方法。
【発明の詳細な説明】
【技術分野】
【０００１】
本発明は、コンベヤベルトの評価装置および評価方法に関し、さらに詳しくは、複雑な装置を用いることなく、実機ラインに近似した条件および促進劣化させるより過酷な条件で、コンベヤベルトの耐温度性および耐外傷性を把握できる評価装置および評価方法に関するものである。
【背景技術】
【０００２】
高温の焼結鉱などを運搬するコンベヤベルトでは耐熱性を考慮する必要があり、氷点下の低温の運搬物を運搬するコンベヤベルトでは耐寒性（耐脆性）を考慮する必要がある。このようにコンベヤベルトには、運搬物の温度条件や使用現場の温度条件下において実用に耐え得る性能（耐温度性）が求められる。例えば、加熱されたブロックを使用したコンベヤベルトの耐熱性評価方法が提案されている（特許文献１参照）。
【０００３】
また、コンベヤベルトには通常、シュートを通じて運搬物が投入されるので衝撃力が作用し、また、搬送物によってはコンベヤベルトに顕著な摩耗や傷を発生させる。そのため、使用現場で付与される外力に対して実用に耐え得る性能（耐外傷性）が求められる。
【０００４】
ここで、例えば、１００℃以上の高温の運搬物や０℃以下の低温の搬送物を運搬する場合は、運搬物の温度がコンベヤベルトに与える影響がより大きくなるので、耐外傷性に加えて耐温度性を一段と考慮する必要がある。また、搬送物の温度や雰囲気温度によってもコンベヤベルトの耐外傷性は変化する。そのため、コンベヤベルトを実機ラインに実装した際の性能を予め評価するには、使用現場の温度条件と使用現場で付与される外力とを同時に考慮しなければならない。しかしながら、従来のコンベヤベルトの評価方法では、温度条件と外力（衝撃力等）とを同時に十分考慮していないため、実機ラインに近似した条件でコンベヤベルトの耐温度性および耐外傷性を予め把握することができなかった。さらに実機ラインに近似した条件でコンベヤベルトの耐温度性および耐外傷性を予め把握することができないため、より過酷な環境条件での促進劣化の評価も不可能であった。
【先行技術文献】
【特許文献】
【０００５】
【特許文献１】特開２０１０−２３０５２０号公報
【発明の概要】
【発明が解決しようとする課題】
【０００６】
本発明の目的は、複雑な装置を用いることなく、実機ラインに近似した条件および促進劣化させるより過酷な条件でのコンベヤベルトの耐外傷性および耐温度性を予め把握できるコンベヤベルトの評価装置および評価方法を提供することにある。
【課題を解決するための手段】
【０００７】
上記目的を達成するため本発明のコンベヤベルトの評価装置は、コンベヤベルトの評価サンプルが架け回される一対のプーリと、前記評価サンプルのテンションを調整するテンション調整部と、前記評価サンプルの走行速度を調整する速度調整部と、前記評価サンプルが収容される恒温ケースと、前記評価サンプルの搬送面に外力付与体を繰り返し接触させる外力付与手段と、前記恒温ケースの内部温度および前記外力付与体の温度を調整する温度コントローラとを備えて、前記外力付与手段が、任意の質量に調整できる錘を有して、先端形状が可変である外力付与体と、この外力付与体を繰り返し自由落下させる落下機構と、復元機構とからなり、この外力付与体を先端から前記評価サンプルの搬送面に繰り返し落下させる構成にして、前記評価サンプルに落下させた前記外力付与体を前記評価サンプルとともに走行方向に所定長さ移動させた後に上方移動させて、前記復元機構により前記走行方向と反対方向に前記所定長さ移動させて前記外力付与体を落下前の位置に戻して前記外力付与体の繰り返し自由落下を行って前記評価サンプルの耐外傷性および耐温度性を評価することを特徴とする。
本発明の別のコンベヤベルトの評価装置は、コンベヤベルトの評価サンプルが架け回される一対のプーリと、前記評価サンプルのテンションを調整するテンション調整部と、前記評価サンプルの走行速度を調整する速度調整部と、前記評価サンプルが収容される恒温ケースと、前記評価サンプルの搬送面に外力付与体を繰り返し接触させる外力付与手段と、前記恒温ケースの内部温度および前記外力付与体の温度を調整する温度コントローラとを備えて、前記外力付与手段が、外周面形状が可変である転動ローラからなる外力付与体と、この外力付与体を独立して回転駆動させる回転部とからなり、この外力付与体の外周面を前記評価サンプルの搬送面に接触させつつ、転動させる構成にして、前記評価サンプルの搬送面に接触する際の前記外力付与体の外周面の回転移動方向が前記搬送面の走行方向と反対方向になるようにして前記評価サンプルの耐外傷性および耐温度性を評価することを特徴とする。
本発明のさらに別のコンベヤベルトの評価装置は、コンベヤベルトの評価サンプルが架け回される一対のプーリと、前記評価サンプルのテンションを調整するテンション調整部と、前記評価サンプルの走行速度を調整する速度調整部と、前記評価サンプルが収容される恒温ケースと、前記評価サンプルの搬送面に外力付与体を繰り返し接触させる外力付与手段と、前記恒温ケースの内部温度および前記外力付与体の温度を調整する温度コントローラとを備えて、前記外力付与手段が、外周面形状が可変である回転自在に軸支された転動ローラからなる外力付与体と、この外力付与体の回転にブレーキをかける回転部とからなり、この外力付与体の外周面を前記評価サンプルの搬送面に接触させて前記回転部によりブレーキをかけつつ、この外力付与体を転動させる構成にして前記評価サンプルの耐外傷性および耐温度性を評価することを特徴とする。
【０００８】
また、本発明のコンベヤベルトの評価方法は、コンベヤベルトの評価サンプルを恒温ケース内で一対のプーリに架け回し、この評価サンプルを予め設定された所定のテンションで張設するとともに、予め設定された所定の速度で走行させた状態にして、この状態の評価サンプルの搬送面に外力付与体を繰り返し接触させ、かつ、前記恒温ケースの内部温度および外力付与体の温度を温度コントローラにより予め設定された温度に調整し、前記外力付与体は、任意の質量に調整できる錘を有して先端形状が可変であり、この外力付与体を先端から前記評価サンプルの搬送面に繰り返し自由落下させ、前記評価サンプルに落下させた前記外力付与体を前記評価サンプルとともに走行方向に所定長さ移動させた後に上方移動させて、復元機構により前記走行方向と反対方向に前記所定長さ移動させて前記外力付与体を落下前の位置に戻して前記外力付与体の繰り返し自由落下を行って前記評価サンプルの耐外傷性および耐温度性を評価することを特徴とする。
本発明の別のコンベヤベルトの評価方法は、コンベヤベルトの評価サンプルを恒温ケース内で一対のプーリに架け回し、この評価サンプルを予め設定された所定のテンションで張設するとともに、予め設定された所定の速度で走行させた状態にして、この状態の評価サンプルの搬送面に外力付与体を繰り返し接触させ、かつ、前記恒温ケースの内部温度および外力付与体の温度を温度コントローラにより予め設定された温度に調整し、前記外力付与体は、外周面形状が可変である転動ローラであり、この外力付与体を独立して回転駆動させて、その外周面を前記評価サンプルの搬送面に接触させつつ転動させて、前記評価サンプルの搬送面に接触する際の前記外力付与体の外周面の回転移動方向が前記搬送面の走行方向と反対方向になるようにして前記評価サンプルの耐外傷性および耐温度性を評価することを特徴とする。
本発明のさらに別のコンベヤベルトの評価方法は、コンベヤベルトの評価サンプルを恒温ケース内で一対のプーリに架け回し、この評価サンプルを予め設定された所定のテンションで張設するとともに、予め設定された所定の速度で走行させた状態にして、この状態の評価サンプルの搬送面に外力付与体を繰り返し接触させ、かつ、前記恒温ケースの内部温度および外力付与体の温度を温度コントローラにより予め設定された温度に調整し、前記外力付与体は、外周面形状が可変である回転自在に軸支された転動ローラであり、その外周面を前記評価サンプルの搬送面に接触させて前記外力付与体の回転にブレーキをかけつつ転動させて前記評価サンプルの耐外傷性および耐温度性を評価することを特徴とする。
【発明の効果】
【０００９】
本発明によれば、評価サンプルを恒温ケース内で、使用現場に応じた所定のテンションで一対のプーリに架け回して、使用現場に応じた所定の走行速度で走行させることができる。そして、走行している状態の評価サンプルの搬送面に外力付与体を繰り返し接触させることにより、評価サンプルに所望の外力を付与することができる。しかも、その際に、恒温ケースの内部温度および外力付与体の温度を、温度コントローラによって、使用現場に応じた予め設定された温度に調整できる。これにより、複雑な装置を用いることなく、実機ラインに近似した条件で評価サンプルの耐外傷性および耐温度性を予め把握できる。また、恒温ケースの内部温度を適切に設定することで、評価サンプルの耐外傷性を、より過酷な条件で促進評価することも可能になり、評価時間の短縮化に寄与する。
【００１０】
本発明の上述した第１の評価装置では、先端形状をベルト搬送物に応じた形状にして、その外力付与体を先端から、走行している評価サンプルの搬送面に対して、使用現場と同様に繰り返し自由落下させて衝撃を与えることができる。これにより、評価サンプルの耐衝撃性および耐温度性を把握できる。
【００１１】
本発明の上述した第２、第３の評価装置では、転動ローラの外周面形状をベルト搬送物に応じた形状にして、この転動ローラの外周面を走行している評価サンプルの搬送面に対して、使用現場と同様に繰り返し接触させて外力を与えることができる。これにより、評価サンプルの耐摩耗性および耐温度性を把握できる。
【００１２】
本発明の上述した第１の評価方法では、先端形状をベルト搬送物に応じた形状にして、その外力付与体を先端から、走行している評価サンプルの搬送面に対して、使用現場と同様に繰り返し自由落下させて衝撃を与えることができる。これにより、評価サンプルの耐衝撃性および耐温度性を把握できる。
【００１３】
本発明の上述した第２、第３の評価方法では、転動ローラの外周面形状をベルト搬送物に応じた形状にして、この転動ローラの外周面を走行している評価サンプルの搬送面に対して、使用現場と同様に繰り返し接触させて外力を与えることができる。これにより、評価サンプルの耐摩耗性および耐温度性を把握できる。
【００１４】
前記評価サンプルの搬送面に複数の凹部を設け、これら凹部に異なる仕様の評価ゴムを嵌め込むことにより、複数の異なる仕様の評価ゴムの耐外傷性および耐温度性を同時に評価することもできる。この場合、複数種類の仕様の評価ゴムを、一度に評価できるので評価時間の短縮化を図ることができる。
【図面の簡単な説明】
【００１５】
【図１】本発明のコンベヤベルトの評価装置を例示する全体概要図である。
【図２】別の評価装置を例示する全体概要図である。
【図３】コンベヤベルトの評価サンプルを例示する長手方向断面図である。
【図４】コンベヤベルトの評価サンプルの変形例を示す平面図である。
【図５】図４のＡ−Ａ断面図である。
【発明を実施するための形態】
【００１６】
以下、本発明のコンベヤベルトの評価装置および方法を図に示した実施形態を参照しながら説明する。
【００１７】
図１に例示する本発明のコンベヤベルトの評価装置１（以下、評価装置１という）は、コンベヤベルトの評価サンプル１４の耐衝撃性および耐温度性を動的に評価するものであり、ベース２上に配置された支柱３ａ、４ａによって支持された一対のプーリ３、４を有している。一方は駆動プーリ３であり、他方は従動プーリ４である。一対のプーリ３、４には評価サンプル１４が架け回される。
【００１８】
評価サンプル１４は図３に例示するように、帆布やスチールコード等からなる心体１７と、この心体１７上下に積層された上カバーゴム１５および下カバーゴム１６とを加硫して一体化したものであり、環状に形成されている。コンベヤベルトの仕様に応じて、評価サンプル１４には補強層などのその他の構成部材が埋設される。
【００１９】
駆動プーリ３を支持する支柱３ａはベース２に固定されている。駆動プーリ３の回転駆動速度は速度調整部３ｂによって、使用現場に応じた予め設定された所定の速度に調整される。即ち、この速度調整部３ｂにより、一対のプーリ３、４に架け回される評価サンプル１４の走行速度が調整される。
【００２０】
従動プーリ４を支持する支柱４ａは、ベース２上に固定されたスライドレール４ｂの上に配置されている。支柱４ａは、スライドレール４ｂの上をレール長手方向（図１では左右方向）に自由にスライドでき、所望の位置で固定できるようになっている。即ち、このスライドレール４ｂが、一対のプーリ３、４に架け回される評価サンプル１４のテンションを調整するテンション調整部として機能する。評価サンプル１４は、使用現場に応じた予め設定された所定のテンションで張設され、そのテンションは、支柱４ａに接続されたロードセル５により検知される。
【００２１】
尚、従動プーリ４と駆動プーリ３とを入れ替えて、従動プーリ４を支持する支柱４ａをベース２に固定して、駆動プーリ３を支持する支柱３ａを、ベース２上にスライド可能に設置してもよい。
【００２２】
さらに、評価装置１は、評価サンプル１４が収容される恒温ケース６と、評価サンプル１４の搬送面１５ａに外力付与体８を繰り返し接触させる外力付与手段と、恒温ケース６の内部温度および外力付与体８の温度を任意に調整できる温度コントローラ１３とを備えている。恒温ケース６の内部温度および外力付与体８の温度は温度コントローラ１３により、使用現場に応じた予め設定された温度に調整される。例えば、電熱体により外力付与体８および恒温ケース６内部を加温する。また、冷媒を流通させることにより外力付与体８および恒温ケース６内部を冷却する。
【００２３】
この実施形態では、質量を任意に調整できる錘９を有し、先端形状の異なる複数の落下アタッチメント７ａ〜７ｅを着脱できる外力付与体８を備えている。外力付与手段は、この外力付与体８と、外力付与体８を繰り返し自由落下させるカムシャフト１０とで構成されている。錘９（外力付与体８）の質量は、ベルト搬送物の実機でのシュート落差より計算される衝撃性に応じて予め設定された質量に調整される。
【００２４】
落下アタッチメント７の先端形状は、使用現場の搬送物の形状に近似したものを用いる。例示した落下アタッチメント７ａ、７ｂの先端は三角形状であり、落下アタッチメント７ａの方がより先端が鋭角になっている。落下アタッチメント７ｃ、７ｄ、７ｅの先端はそれぞれ、凹凸形状、円弧状、平面状である。このようにベルト搬送物に応じて、落下アタッチメント７の先端は種々の形状にすることができる。
【００２５】
落下アタッチメント７は耐久性等を考慮して、例えば、鋼等の金属製にする。或いは、落下アタッチメント７の搬送面１５ａに接触する部分を、搬送物と同じ材質にすることもできる。例えば、搬送物が鉱石の場合は、落下アタッチメント７の先端を鉱石で形成する。
【００２６】
回転駆動されるカムシャフト１０の外周面には係合突起１０ａが突設されている。外力付与体８のシャフト外周面には係合突起８ａが突設されている。カムシャフト１０が回転して、互いの係合突起８ａ、１０ａが係合すると外力付与体８が上方移動し、互いの係合が解除されると、外力付与体８は自由落下する。したがって、カムシャフト１０の回転が続くことにより、外力付与体８がその先端から評価サンプル１４の搬送面１５ａに繰り返し自由落下する。
【００２７】
評価サンプル１４の耐衝撃性および耐温度性を評価する際には、恒温ケース６内で一対のプーリ３、４に架け回す。そして、評価サンプル１４と同じ仕様のコンベヤベルトが使用される使用現場と同じテンションで張設する。
【００２８】
次いで、使用現場と同じ速度で走行させた評価サンプル１４の搬送面１５ａに対して、外力付与体８を先端の落下アタッチメント７から、繰り返し自由落下させて衝突させる。落下アタッチメント７の先端形状は、使用現場で搬送する搬送物と近似したものを使用し、外力付与体８の質量、落下高さおよび落下サイクルは、使用現場と同じ条件または計算される負荷条件に応じて任意に設定する。
【００２９】
自由落下して搬送面１５ａに接触した外力付与体８は、カムシャフト１０によって上方移動されるまでの間、評価サンプル１４とともに走行方向に移動する。そのため、この走行方向に移動した距離だけ、外力付与体８を落下前の位置に戻す復元機構を設ける。この実施形態では、回転するカムシャフト１０によって、搬送面１５ａに自由落下した外力付与体８が、上方向および評価サンプル１４の反走行方向に移動させられて落下前の位置に戻るようになっている。
【００３０】
評価の際には、恒温ケース６の内部温度および落下アタッチメント７の温度を温度コントローラ１３により、使用現場と同じ条件に設定する。即ち、恒温ケース６の温度は使用現場の雰囲気温度と同じ温度、落下アタッチメント７は使用現場で搬送する搬送物と同じ温度に、それぞれ別個に温度調整する。恒温ケース６の内部温度は例えばマイナス７０℃〜プラス３００℃程度、落下アタッチメント７の温度は例えばマイナス７０℃〜プラス６００℃程度に設定される。
【００３１】
この動的評価を所定時間行なった後に、評価サンプル１４の状態を把握する。例えば、上カバーゴム１５、心体１７の損傷状態、物性（残留強度、伸び等）を把握する。
【００３２】
この実施形態では、複雑な装置を用いることなく、実機ラインに近似した条件で、評価サンプル１４の上カバーゴム１５、心体１７等の耐衝撃性および耐温度性を把握、評価できる。このように本発明では、コンベヤベルトの使用現場の温度条件と使用現場で付与される外力とを同時に考慮して、評価サンプル１４を用いてコンベヤベルトを実機ラインに実装した際の性能を予め評価することができる。
【００３３】
また、恒温ケース６の内部温度を適切に設定することで、評価サンプル１４の耐外傷性を、より過酷な条件で促進評価することも可能になる。例えば、雰囲気温度の違いによる評価サンプル１４の耐外傷性の変化具合（温度依存性）を把握しておく。この把握したデータに基づいて、恒温ケース６の温度を、使用現場の雰囲気温度よりも高く設定して評価を行なうことで評価時間を短縮できる。
【００３４】
また、外力付与体８を繰り返し上下動させて用いるので、実際の搬送物を投入して評価する場合と異なり、多数（多量）の搬送物を用意する必要がない。また、搬送物によって評価装置１の周辺が汚れることもない。
【００３５】
種々の条件で評価を行なってデータを蓄積することにより、搬送面１５ａに投入される搬送物によって評価サンプル１４に付与される動的面圧と、耐衝撃性や耐温度性との関係、評価サンプル１４に生じた損傷の進行具合と、雰囲気温度や搬送物の温度との関係などを把握することが可能になる。
【００３６】
図２に例示する評価装置１の別の実施形態は、評価サンプル１４の耐摩耗性および耐温度性を動的に評価するものであり、先の実施形態に対して外力付与手段を異ならせている。その他の構成は先の実施形態と同じである。
【００３７】
この外力付与手段は、外周面形状が可変である転動ローラ１１からなる外力付与体と、この転動ローラ１１を独立して回転させる回転部１２とを有している。そして、転動ローラ１１の外周面を評価サンプル１４の搬送面１５ａに接触させつつ転動させる構成になっている。
【００３８】
転動ローラ１１の外周面形状は、使用現場の搬送物の形状に近似したものを用いる。図２で評価サンプル１４の搬送面１５ａに接触して転動している転動ローラ１１ａの外周面は、微小な凹凸が多数設けられている円周面である。回転部１２に着脱される転動ローラ１１ｂ、１１ｃ、１１ｄの外周面はそれぞれ、四角状の突起、円弧状の突起、三角状の突起を有する形状になっている。
【００３９】
このようにベルト搬送物の形状に応じて、転動ローラ１１の外周面には種々の形状を採用することができる。この実施形態では、外周面形状の異なる複数の転動ローラ１１ａ〜１１ｄを備えているが、形状の異なる複数の外周面を備えて、１つの転動ローラ１１に対して形状の異なる外周面を付け替え可能な構造にすることもできる。
【００４０】
転動ローラ１１は、耐久性等を考慮して、例えば、鋼等の金属製にする。或いは、搬送面１５ａに接触する転動ローラ１１の外周面を、搬送物と同じ材質にすることもできる。例えば、搬送物が砂の場合は、転動ローラ１１の外周面を砂で形成する（砂を付着させる）。
【００４１】
評価サンプル１４の耐摩耗性および耐温度性を評価する際には、恒温ケース６内で一対のプーリ３、４に架け回す。そして、評価サンプル１４と同じ仕様のコンベヤベルトが使用される使用現場と同じテンションで張設する。
【００４２】
次いで、転動ローラ１１を回転部１２によって回転駆動させて、その外周面を評価サンプル１４の搬送面１５ａに接触させつつ、評価サンプル１４の走行方向とは反対方向に転動させる。或いは、評価サンプル１４の走行方向に転動させる。場合によっては、回転自在に軸支された転動ローラ１１を回転部１２によってブレーキをかけつつ、評価サンプル１４の走行方向に転動させる。
【００４３】
転動ローラ１１の外周面形状は、使用現場で搬送する搬送物と近似したものを使用する。転動ローラ１１の回転速度は、搬送物により生じる摩耗を再現するように設定する。転動ローラ１１を搬送面１５ａに接触させる面圧も、使用現場を再現するように設定する。
【００４４】
評価をする際には、恒温ケース６の内部温度および転動ローラ１１の外周面の温度を温度コントローラ１３により、使用現場と同じ条件に設定する。即ち、恒温ケース６の温度は使用現場の雰囲気温度と同じ温度、転動ローラ１１の外周面の温度は使用現場で搬送する搬送物と同じ温度に、それぞれ別個に温度調整する。
【００４５】
この動的評価を所定時間行なった後に、評価サンプル１４の状態を把握する。例えば、上カバーゴム１５、心体１７の損傷状態、物性（残留強度、伸び等）を把握する。
【００４６】
この実施形態では、複雑な装置を用いることなく、実機ラインに近似した条件で、評価サンプル１４の上カバーゴム１５、心体１７等の耐摩耗性および耐温度性を把握、評価できる。
【００４７】
また、転動ローラ１１を用いるので、実際の搬送物を投入して評価する場合と異なり、多数（多量）の搬送物を用意する必要がない。また、搬送物によって評価装置１の周辺が汚れることもない。
【００４８】
種々の条件で評価を行なってデータを蓄積することにより、搬送面１５ａに投入される搬送物によって評価サンプル１４に付与される動的摩擦力と、耐摩耗性や耐温度性との関係、評価サンプル１４に生じた摩耗の進行具合と、雰囲気温度や搬送物の温度との関係などを把握することが可能になる。
【００４９】
評価サンプル１４は、上述した実施形態のように、上カバーゴム１５、下カバーゴム１６や心体１７等の構成部材を一体化したものだけでなく、図４、５に例示する仕様にすることもできる。
【００５０】
この評価サンプル１４は、上カバーゴム１５の搬送面１５ａに複数の凹部１５ｂを有している。これら凹部１５ｂには、加硫された異なる仕様の評価ゴム１８ａ、１８ｂ、１８ｃ、１８ｄ、１８ｅ、１８ｆを嵌め込むことができるようになっている。これにより、複数の異なる仕様の評価ゴム１８ａ〜１８ｆの耐外傷性（耐衝撃性や耐摩耗性）および耐温度性を同時に評価することができる。即ち、複数種類の仕様の評価ゴム１８ａ〜１８ｆを、一度に評価できるので評価時間の短縮化を図ることが可能になる。
【００５１】
恒温ケース６の内部温度を、使用現場の雰囲気温度よりも高く設定して評価ゴム１８ａ〜１８ｆを評価促進することと組み合わせることにより、一段と評価時間を短縮して効率化を図ることができる。
【００５２】
尚、上カバーゴム１５についてのみ、耐外傷性および耐温度性を評価するならば、図４、５に例示した評価サンプル１４を変形させたものを用いることができる。即ち、金属ベルトチェーン等のベースベルトの外周面に、種々の評価ゴム１８ａ等を取り付けて評価を行なえばよい。
【符号の説明】
【００５３】
１  評価装置
２  ベース
３  駆動プーリ
３ａ  支柱
３ｂ  速度調整部
４  従動プーリ
４ａ  支柱
４ｂ  スライドレール
５  ロードセル
６  恒温ケース
７、７ａ、７ｂ、７ｃ、７ｄ、７ｅ  落下アタッチメント
８  外力付与体
８ａ  係合突起
９  錘
１０  カムシャフト（落下機構）
１０ａ  係合突起
１１、１１ａ、１１ｂ、１１ｃ、１１ｄ  転動ローラ（外力付与体）
１２  回転部
１３  温度コントローラ
１４  評価サンプル
１５  上カバーゴム
１５ａ  搬送面
１５ｂ  凹部
１６  下カバーゴム
１７  心体
１８ａ、１８ｂ、１８ｃ、１８ｄ、１８ｅ、１８ｆ  評価ゴム
【図１】
0005834486.tif 000002
【図２】
0005834486.tif 000003
【図３】
0005834486.tif 000004
【図４】
0005834486.tif 000005
【図５】
0005834486.tif 000006